(57)【特許請求の範囲】
【請求項１】
１トラックに対して複数の再生ヘッドがトラック幅方向に位置をずらして設けられているヘッドアセンブリと、
前記ヘッドアセンブリを前記トラック幅方向に駆動する駆動手段と、
前記複数の再生ヘッドで得られた再生信号からトレースしたトラックのトラック識別情報を再生ヘッド毎に検出する処理と前記再生信号のエンベロープ信号を再生ヘッド毎に生成する処理を行う再生信号処理手段とを有し、
前記駆動手段は、前記再生信号処理手段で検出された前記トラック識別情報を用いて、前記複数の再生ヘッドが目的のトラックをトレースするように前記ヘッドアセンブリを駆動したのち、前記再生信号処理手段で生成されたエンベロープ信号の差分が所定範囲内となるように前記ヘッドアセンブリを駆動し、その後、前記ヘッドアセンブリを前記トラック幅方向にウォブリングさせたときに前記エンベロープ信号を用いて検出されるウォブリングエラーが、なくなるように前記ヘッドアセンブリを駆動する
ことを特徴とする記録信号再生装置。
【請求項２】
１トラックに対して複数の再生ヘッドをトラック幅方向に位置をずらして設けてヘッドアセンブリとし、
前記複数の再生ヘッドで得られた再生信号からトレースしたトラックのトラック識別情報を再生ヘッド毎に検出し、
前記トラック識別情報を用いて、前記複数の再生ヘッドが目的のトラックをトレースするように前記ヘッドアセンブリを前記トラック幅方向に駆動し、
前記複数の再生ヘッドで得られた再生信号から該再生信号のエンベロープ信号を再生ヘッド毎に生成し、
前記エンベロープ信号の差分が所定範囲内となるように前記ヘッドアセンブリを前記トラック幅方向にさらに駆動し、
前記ヘッドアセンブリを前記トラック幅方向に所定の振幅でウォブリングさせたときに前記エンベロープ信号を用いて検出されるウォブリングエラーが、なくなるように前記ヘッドアセンブリをさらに駆動する
ことを特徴とする記録信号再生方法。
【発明の詳細な説明】
【０００１】
【発明の属する技術分野】
この発明は、記録信号再生装置および記録信号再生方法に関する。詳しくは、１トラックに対して複数の再生ヘッドをトラック幅方向に位置をずらして設けてヘッドアセンブリを構成し、各再生ヘッドで得られた再生信号によって示されたトラック識別情報、あるいは再生信号のエンベロープを示すエンベロープ信号に基づいて、複数の再生ヘッドが目的のトラックをトレースするようにヘッドアセンブリをトラック幅方向に駆動するものである。
【０００２】
【従来の技術】
記録信号再生装置、例えば磁気テープに記録された信号を再生できるビデオテープレコーダでは、記録密度を向上させるための１つの手段として、ナロートラック化が進められている。このようなナロートラック化が進むと、記録されたトラックを再生ヘッドで正確にトレースさせるためのトラッキングを高速度かつ高精度に行うことが必要になる。このため、例えば特許文献１に示すように、同時に記録された２トラックを同時に再生する一組の再生ヘッドと、再生ヘッドを所定の振幅でウォブリングするウォブリング手段と、再生ヘッドから出力される再生ＲＦ信号のエンベロープ信号を抽出する再生ＲＦエンベロープ信号抽出手段と、再生ＲＦエンベロープ信号からウォブリング成分を抽出するウォブリング成分抽出手段を設けることにより、再生ヘッドの変位量を用いることなく再生ヘッドのオフトラック量（目的のトラックに対するトレース位置のずれ量）を高速度および高精度で検出することが行われている。
【０００３】
【特許文献１】
特開平６−７６２５４号公報
【０００４】
【発明が解決しようとする課題】
ところで、ウォブリング成分を抽出して、ウォブリングエラーがなくなるように制御することで目的のトラックを再生ヘッドでトレースさせる場合、オフトラック量とウォブリング成分が例えば図１２に示すような特性となると、ウォブリングエラーが無くなるように再生ヘッドのトレース位置を制御しても、目的のトラックを正しくトレースできない場合が生ずる。例えばオフトラック量が領域ＴＥＷの範囲内でないと、再生ヘッドがオフトラック量ＰＤ1あるいはオフトラック量ＰＤ2の位置となるように制御されて疑似ロックしてしまい、オフトラック量が「０」となる目的のトラック位置に制御することが出来なくなってしまう。
【０００５】
そこで、この発明では、疑似ロックを生ずることなく、再生ヘッドの位置を目的のトラック位置に制御することができる記録信号再生装置および記録信号再生方法を提供するものである。
【０００６】
【課題を解決するための手段】
この発明に係る記録信号再生装置は、１トラックに対して複数の再生ヘッドがトラック幅方向に位置をずらして設けられているヘッドアセンブリと、前記ヘッドアセンブリを前記トラック幅方向に駆動する駆動手段と、前記複数の再生ヘッドで得られた再生信号からトレースしたトラックのトラック識別情報を再生ヘッド毎に検出する処理と前記再生信号のエンベロープ信号を再生ヘッド毎に生成する処理を行う再生信号処理手段とを有し、前記駆動手段は、前記再生信号処理手段で検出された前記トラック識別情報を用いて、前記複数の再生ヘッドが目的のトラックをトレースするように前記ヘッドアセンブリを駆動したのち、前記再生信号処理手段で生成されたエンベロープ信号の差分が所定範囲内となるように前記ヘッドアセンブリを駆動し、その後、前記ヘッドアセンブリを前記トラック幅方向にウォブリングさせたときに前記エンベロープ信号を用いて検出されるウォブリングエラーが、なくなるように前記ヘッドアセンブリを駆動するものである。
【０００７】
この発明に係る記録信号再生方法は、１トラックに対して複数の再生ヘッドをトラック幅方向に位置をずらして設けてヘッドアセンブリとし、前記複数の再生ヘッドで得られた再生信号からトレースしたトラックのトラック識別情報を再生ヘッド毎に検出し、前記トラック識別情報を用いて、前記複数の再生ヘッドが目的のトラックをトレースするように前記ヘッドアセンブリを前記トラック幅方向に駆動し、前記複数の再生ヘッドで得られた再生信号から該再生信号のエンベロープ信号を再生ヘッド毎に生成し、前記エンベロープ信号の差分が所定範囲内となるように前記ヘッドアセンブリを前記トラック幅方向にさらに駆動し、前記ヘッドアセンブリを前記トラック幅方向に所定の振幅でウォブリングさせたときに前記エンベロープ信号を用いて検出されるウォブリングエラーが、なくなるように前記ヘッドアセンブリをさらに駆動するものである。
【０００９】
【発明の実施の形態】
以下、図を参照しながら、この発明の実施の一形態について説明する。図１は、この発明の記録信号再生装置で用いられるヘッドアセンブリ１０を示している。ヘッドアセンブリ１０では、１つのトラックＴＲＡに対して複数の再生ヘッドがトラック幅方向に位置をずらして設けられる。例えば、トラックＴＲＡに対して再生ヘッド１０-1と再生ヘッド１０-2が設けられると共に、再生ヘッド１０-2は、再生ヘッド１０-1に対してトラックＴＲＡの幅方向に位置をずらして設けられている。なお、ヘッドアセンブリ１０は、１つの再生ヘッド内に複数のヘッドギャップをトラック幅方向に位置をずらして形成するものとしても良く、以下の説明では、再生ヘッドを複数設けた場合について説明している。
【００１０】
このヘッドアセンブリ１０は、圧電素子などのアクチュエータを介して取り付けられており、アクチュエータによってトラック幅方向に駆動される。このようにトラック幅方向に駆動される再生ヘッドは所謂ダイナミックトラッキングヘッド（ＤＴヘッド）と呼ばれている。このＤＴヘッドは、オフトラック量に応じて生成された駆動信号に基づきアクチュエータによってトラック幅方向に駆動されて、特殊再生動作時であっても再生ヘッドが目的のトラックを正しくトレースして、ノイズレス再生が可能なものとされる。
【００１１】
再生ヘッド１０-1，１０-2におけるヘッドギャップのトラック幅Ｗrは、トラックＴＲＡのトラック幅Ｗtに比べて広く構成されている。再生ヘッド１０-1に対する再生ヘッド１０-2のトラック幅方向のずれ量は、再生ヘッド１０-1のトレース位置がトラック幅方向に位置ずれを生じて、トラックＴＲＡの信号を正しく再生できなくなっても、再生ヘッド１０-2によってトラックＴＲＡをトレースして、トラックＴＲＡの信号を正しく再生できるように設定する。
【００１２】
図２は、再生ヘッドの出力レベルとオフトラック量の関係を示している。ここで、説明を簡単とするため、図２Ｂに示すように再生ヘッド１０-1の中心とトラックＴＲＡの中心が等しいときの位置をオフトラック量「０」と仮定する。
【００１３】
オフトラック量が「０」であるとき、再生ヘッド１０-1の出力レベルは、図２Ａに示すようにレベルＬ1となる。ここで、トラックＴＲＡの位置が再生ヘッド１０-1に対して矢印ａ方向に位置ずれを生じて、図２Ｃに示すオフトラック量ＰＥ1よりも大きくなると、トラックＴＲＡが再生ヘッド１０-1から外れてしまうため、図２Ａに示すように、オフトラック量の増加に伴い、再生ヘッド１０-1の出力レベルが低下する。同様に、トラックＴＲＡの位置が再生ヘッド１０-1に対して矢印ａ方向とは逆方向である矢印ｂ方向に位置ずれを生じて、図２Ｄに示すオフトラック量ＰＥ1よりも大きくなると、トラックＴＲＡが再生ヘッド１０-1から外れてしまうため、図２Ａに示すように、オフトラック量の増加に伴い、再生ヘッド１０-1の出力レベルが低下する。
【００１４】
次に、図２Ｅに示すようにオフトラック量がＰＥ2となって、再生ヘッド１０-1にかかるトラック幅と再生ヘッド１０-2にかかるトラック幅が略等しくなると、再生ヘッド１０-1，１０-2の出力特性が等しいとき、図２Ａに示すように出力レベルが等しくなる。
【００１５】
トラックＴＲＡが更に矢印ｂ方向に移動して、図２Ｆに示すオフトラック量がＰＥ3よりも大きくなると、トラックＴＲＡが再生ヘッド１０-2から外れることとなるため、図２Ａに示すように、オフトラック量の増加に伴い、再生ヘッド１０-2の出力レベルが低下する。
【００１６】
このため、例えば出力レベルが「Ｌ2」よりも大きくなるオフトラック範囲をオフトラック余裕としたとき、再生ヘッド１０-1とトラック幅方向に位置をずらした再生ヘッド１０-2を設けるものとして、目的のトラックを再生しているときの出力レベルが「Ｌ2」よりも大きくなる再生ヘッドを、トレース状態が適正な再生ヘッドとして、この再生ヘッドで得られた信号を選択して用いる。このときのオフセット余裕は「Ｑd」となり、１つの再生ヘッドを用いるときのオフトラック余裕「Ｑs」よりも、オフセット余裕を広げることができる。
【００１７】
また、図２Ｅに示すように、再生ヘッド１０-1と再生ヘッド１０-2のそれぞれにかかるトラック幅が略等しくなったときの出力レベルがレベル「Ｌ2」となるように再生ヘッドの位置ずらし量を設定すれば、オフトラック余裕を最大に設定することも可能となる。また、再生ヘッド１０-1と再生ヘッド１０-2のそれぞれにかかるトラック幅が略等しくなる位置をオフトラック量「０」とすることで、トラックＴＲＡの矢印ａ方向の位置ずれに対するオフトラック余裕と矢印ｂ方向の位置ずれに対するオフトラック余裕をほぼ等しくすることができる。
【００１８】
図３は、再生ヘッド１０-1と再生ヘッド１０-2でトラックＴＲＡを再生したときのトラック再生状態を示しており、図３Ａは、トラックＴＲＡと再生ヘッド１０-1，１０-2を模式的に示したものである。このように曲がりを生じたトラックＴＲＡを再生ヘッド１０-1で再生したとき、再生ヘッド１０-1の出力レベルは、図３Ｂに示すものとなる。すなわち、再生ヘッド１０-1の出力レベルは、トレースされるトラックＴＲＡの幅に応じたレベルとなる。また、トラックＴＲＡを再生ヘッド１０-2で再生したとき、再生ヘッド１０-2の出力レベルは、図３Ｃに示すものとなる。すなわち、再生ヘッド１０-2の出力レベルは、トレースされるトラックＴＲＡの幅に応じたレベルとなる。このため、再生ヘッド１０-1，１０-2の出力レベルに基づいて、トラックＴＲＡのトレース状態が適正な再生ヘッドを判別し、この適正な再生ヘッドと判別された再生ヘッドで得られた再生信号を順次選択することで、オフトラック余裕の広い記録信号再生装置を得ることができる。
【００１９】
図４は、この発明に係る記録信号再生装置をビデオテープレコーダに適用した場合の構成を示している。
【００２０】
ディジタルの記録ビデオ信号ＤＶwは、ビデオ圧縮器２０で例えばＭＰＥＧ（Moving Picture Experts Group）方式で圧縮されて、符号化データＤＰwとしてパリティ付加器２５に供給される。
【００２１】
パリティ付加器２５は、符号化データＤＰwに対して誤り訂正符号を生成して付加する。例えば、符号長が「Ｎc」，情報数が「ＫＮc」のリード・ソロモン符号を内符号パリティＣ1として生成すると共に、符号長が「Ｍc」，情報数が「ＫＭc」のリード・ソロモン符号を外符号パリティＣ2として生成するとき、符号化データＤＰwをメモリ（図示せず）の水平方向に符号長「ＫＮc」分だけ書き込み、符号長「ＫＮc」分の書き込みが行われる毎に、書き込み位置を垂直方向に移動させて、水平方向が符号長「ＫＮc」分，垂直方向が符号長「ＫＭc」分のデータ書き込みを行う。その後、メモリのデータを垂直方向に順次読み出して外符号パリティＣ2を算出する。次に、メモリのデータを水平方向に順次読み出して内符号パリティＣ1を算出する。また、垂直方向毎に生成されている情報数「ＫＭc」の外符号パリティＣ2を水平方向に読み出して外符号パリティＣ2に対する内符号パリティＣ1を生成する。このようにして生成した内符号パリティＣ1，外符号パリティＣ2を符号化データＤＰwに付加して、符号化データＤＱwを生成する。さらに記録部３０は、パリティ付加器２５で生成された符号化データＤＱwに同期符号や識別符号を付加して、トラック毎の記録データＷＤを生成する。さらに、記録データＷＤのチャネルコーディングを行い、得られた信号を記録電流ＷＳに変換して、回転ドラムに搭載された記録ヘッド３５に供給する。
【００２２】
記録ヘッド３５は、ヘリカルスキャン方式で磁気テープ４０への信号記録を行いトラックＴＲＡを形成する。なお、トラックＴＲＡと隣接するトラックＴＲＢは、所定のアジマス角を有するものである。
【００２３】
図５は、トラックＴＲＡのパターンを説明するための図である。トラックＴＲＡには、図５Ａに示すように、映像データを記録する映像セクタと音声データを記録する音声セクタが設けられている。なお、図５Ａでは映像セクタの間に音声セクタが設けられた場合を示しているが、音声セクタの間に映像セクタを設けるものとしても良い。また、映像セクタと音声セクタの間や音声セクタ間にエディットギャップを設けて、映像や音声の編集の際に独立してデータを書き換え可能とするものであってもよい。
【００２４】
図５Ｂは、記録データＷＤの構成を示している。Ｍc×Ｎcバイト分の符号化データＤＰwには、Ｍcバイトの符号化データＤＰw毎に算出された外符号パリティＣ2が付加される。また、Ｎcバイトの符号化データＤＰwあるいは外符号パリティＣ2毎に算出された内符号パリティＣ1が付加されて符号化データＤＱwが生成される。このＮcバイトの符号化データＤＰwと算出された内符号パリティＣ1からなる符号化データＤＱw毎に同期符号と識別符号を付加して、あるいはＮcバイトの外符号パリティＣ2と算出された内符号パリティＣ1からなる符号化データＤＱw毎に同期符号と識別符号を付加して、１シンクブロックの記録データとする。このシンクブロック単位の記録データに基づいた記録信号ＷＳを記録ヘッド３５に供給して磁気テープ４０に対する記録を行い、映像セクタを構成する。ここで、識別符号は、個々のトラックを判別可能とするために設定されたトラック識別情報ＴＩＤや、トラックがいずれのセグメントに属しているかを判別可能とするために設定されたセグメント識別情報ＳＩＤ等からなるものである。なお、図示せずも映像セクタと同様にして音声セクタを構成できる。
【００２５】
磁気テープ４０に記録されている信号は、上述したように圧電素子などのアクチュエータを介して回転ドラムに取り付けられたＤＴヘッド５０によって読み出される。ここで、ＤＴヘッド５０は、上述したように１つのトラックに対して例えば２つの再生ヘッド５０-1，５０-2がトラック幅方向に位置をずらして設けられる。また、目的のトラックに対するオフトラック量に応じて駆動部８０のアクチュエータが駆動されて、特殊再生動作時であっても目的のトラックをトレースできるように再生ヘッド５０-1，５０-2がトラック幅方向に駆動される。
【００２６】
再生ヘッド５０-1で得られた再生信号ＲＳ-1は、再生信号処理部６０の復号回路６１-1に供給される。復号回路６１-1では、再生信号ＲＳ-1の振幅や位相を調整して波形整形を行い、さらに記録部３０で行われるチャネルコーディングに対応した復号処理を行って再生データＲＤ-1を生成する。この再生データＲＤ-1は、Ｃ１訂正器６２-1に供給される。さらに、復号回路６１-1は、再生信号ＲＳ-1のエンベロープを示すエンベロープ信号ＥＶ-1を生成して駆動部８０に供給する。
【００２７】
再生ヘッド５０-2で得られた再生信号ＲＳ-2は、再生信号処理部６０の復号回路６１-2に供給される。復号回路６１-2は、復号回路６１-1と同様に、再生信号ＲＳ-2の振幅や位相を調整して波形整形を行い、さらに復号処理を行って再生データＲＤ-2を生成する。この再生データＲＤ-2は、Ｃ１訂正器６２-2に供給される。また、復号回路６１-2は、再生信号ＲＳ-2のエンベロープを示すエンベロープ信号ＥＶ-2を生成して駆動部８０に供給する。
【００２８】
Ｃ1訂正器６２-1は、再生データＲＤ-1を構成する符号化データＤＱr-1に含まれた内符号パリティＣ1を用いて誤り訂正を行い、誤り訂正結果ＣＫ-1を信号選択器６３に通知する。また、誤り訂正が行われた再生データを再生データＲＥ-1として信号選択器６３に供給する。なお、誤り訂正結果ＣＫ-1の通知では、誤り訂正結果ＣＫ-1を再生データＲＥ-1に埋め込んで信号選択器６３に供給すれば、１つの信号ストリームとして、誤り訂正結果ＣＫ-1と再生データＲＥ-1を信号選択器６３に供給できる。さらに、Ｃ1訂正器６２-1は、再生データＲＤ-1からトラック識別情報ＴＩＤ-1を抽出して駆動部８０に供給する。
【００２９】
Ｃ1訂正器６２-2は、Ｃ1訂正器６２-1と同様に、再生データＲＤ-2を構成する符号化データＤＱr-2に含まれている内符号パリティＣ1を用いて誤り訂正を行い、誤り訂正が行われた再生データと誤り訂正結果ＣＫ-2を示す再生データＲＥ-2を信号選択器６３に供給する。さらに、再生データＲＤ-2からトラック識別情報ＴＩＤ-2を抽出して駆動部８０に供給する。なお、トラック識別情報ＴＩＤ-1，ＴＩＤ-2は、復号回路６１-1，６１-2で抽出するものとしても良い。
【００３０】
信号選択器６３は、Ｃ1訂正器６２-1，６２-2から供給された誤り訂正結果ＣＫ-1，ＣＫ-2を利用して、誤り訂正後の符号化データＤＱr-1，ＤＱr-2の選択を行い、符号化データＤＱＣrとしてＣ2訂正器７０に供給する。また、誤り訂正結果ＣＫ-1，ＣＫ-2と誤り訂正後の再生データから抽出したトラック識別情報ＴＩＤ-1，ＴＩＤ-2等を利用して、誤り訂正後の符号化データＤＱr-1，ＤＱr-2の選択を行うものとしても良い。
【００３１】
Ｃ2訂正器７０は、符号化データＤＱＣrに含まれている外符号パリティＣ2を用いて誤り訂正を行い、誤り訂正後の符号化データＤＰrをビデオ伸長器７５に供給する。ビデオ伸長器７５は、供給された符号化データＤＰrの復号化を行い、ディジタルの再生ビデオ信号ＤＶrとして出力する。
【００３２】
図６は、駆動部８０の構成を示している。復号回路６１-1から供給されたエンベロープ信号ＥＶ-1は減算器８１と乗算器８３に供給される。また、復号回路６１-2から供給されたエンベロープ信号ＥＶ-2は減算器８１と乗算器８４に供給される。
【００３３】
減算器８１は、エンベロープ信号ＥＶ-1からエンベロープ信号ＥＶ-2を減算して差分信号ＥＤを生成し、低域フィルタ８２で差分信号ＥＤからノイズ成分等の不要な成分を除いて制御信号出力回路８８に供給する。
【００３４】
乗算器８３，８４には、後述する発振回路８９からウォブリング周波数である例えば正弦波状の発振信号Ｓwbが供給されており、エンベロープ信号ＥＶ-1，ＥＶ-2に発振信号Ｓwbをそれぞれ乗算して検波を行い、再生ヘッド毎にウォブリングエラー信号ＷＥ-1，ＷＥ-2を生成する。さらに、低域フィルタ８５，８６によってウォブリングエラー信号ＷＥ-1，ＷＥ-2から不要な成分を除いて加算器８７に供給する。
【００３５】
加算器８７はウォブリングエラー信号ＷＥ-1とウォブリングエラー信号ＷＥ-2を加算して、ＤＴヘッド５０におけるのウォブリングエラー信号ＷＥを生成して制御信号出力回路８８に供給する。
【００３６】
制御信号出力回路８８には、Ｃ1訂正器６２-1，６２-2からトラック識別情報ＴＩＤ-1，ＴＩＤ-2が供給されており、差分信号ＥＤとウォブリングエラー信号ＷＥとトラック識別情報ＴＩＤ-1，ＴＩＤ-2に基づき制御信号ＤＨを生成して加算器９０に供給する。加算器９０は、発振回路８９と接続されており、発振回路８９は、ウォブリング周波数の発振信号Ｓwbを生成して、上述のように乗算器８３，８４と加算器９０に供給する。
【００３７】
加算器９０は、制御信号ＤＨに発振信号Ｓwbを加算して、得られた加算信号ＤＨＷを演算増幅器９１に供給する。
【００３８】
ＤＴヘッド５０をトラック幅方向に駆動するアクチュエータ９３（例えばバイモルフ素子）には、ＤＴヘッド５０の駆動量に応じた信号を生成するセンサ９４（例えばストレインゲージ）が設けられており、センサ９４で生成されたセンサ信号ＳＥgは増幅器９２で増幅されてセンサ信号ＳＥhとして演算増幅器９１に供給される。演算増幅器９１では、増幅器９２から供給されたセンサ信号ＳＥhと加算信号ＤＨＷに基づいた駆動信号ＤＲを生成してアクチュエータ９３に供給することで、再生ヘッド５０-1，５０-2が制御信号出力回路８８から出力された制御信号ＤＨに基づいた位置となるようにフィードバック制御が行われる。
【００３９】
図７は、駆動部８０の動作を説明するための図である。図７Ａの実線は、エンベロープ信号ＥＶ-1、破線はエンベロープ信号ＥＶ-2を示している。図７Ｂは、エンベロープ信号ＥＶ-1からエンベロープ信号ＥＶ-2を減算した差分信号ＥＤである。また図７Ｃはトラック識別情報ＴＩＤ-1、図７Ｄはトラック識別情報ＴＩＤ-2を示している。
【００４０】
図８は、再生ヘッドの位置とトラック識別情報の関係を示している。例えば、再生ヘッド５０-1が目的のトラックＴＲＡnの中央に位置する「状態３」の場合、再生データＲＤ-1のトラック識別情報ＴＩＤ-1によってトラックＴＲＡnであることが示される。また目的のトラックＴＲＡnに隣接するトラックＴＲＢnはアジマスが異なるものとされていると共に、再生ヘッド５０-2でトレースされるトラックＴＲＡnの幅が狭いため、トラックＴＲＡnの再生信号の信号レベルは小さいものとなり、再生データＲＤ-2を得ることができずトラック識別情報ＴＩＤ-2はエラーとなる。
【００４１】
また、「状態４」のように、再生ヘッド５０-1でトレースされるトラックＴＲＡnの幅と再生ヘッド５０-2でトレースされるトラックＴＲＡnの幅がほぼ等しいときには、再生データＲＤ-1のトラック識別情報ＴＩＤ-1によってトラックＴＲＡnであることが示されると共に、再生データＲＤ-2のトラック識別情報ＴＩＤ-2によってトラックＴＲＡnであることが示される。
【００４２】
さらに、オフトラック量が大きく、「状態６」のように再生ヘッド５０-1でトレースされるトラックＴＲＡn-1の幅と再生ヘッド５０-2でトレースされるトラックＴＲＡnの幅がほぼ等しいときには、再生データＲＤ-1のトラック識別情報ＴＩＤ-1によってトラックＴＲＡn-1であることが示されると共に、再生データＲＤ-2のトラック識別情報ＴＩＤ-2によってトラックＴＲＡnであることが示される。以上のように、再生ヘッドの位置に応じて、トラック識別情報が異なるものとなる。
【００４３】
図７Ｅはウォブリングエラー信号ＷＥを示している。図８の「状態４」に示すように目的のトラックＴＲＡnを再生ヘッド５０-1と再生ヘッド５０-2がトレースしたとき、ウォブリングエラー信号ＷＥは「０」となる。すなわち、「状態４」でＤＴヘッド５０をウォブリングさせたとき、エンベロープ信号ＥＶ-1に基づいて検出したウォブリングエラー信号ＷＥ-1とエンベロープ信号ＥＶ-2に基づいて検出したウォブリングエラー信号ＷＥ-2は極性が逆で打ち消し合うため、ウォブリングエラー信号ＷＥは「０」となる。
【００４４】
また、ＤＴヘッド５０が図８の「状態４」から「状態３」あるいは「状態５」の方向にオフトラックを生じると、ウォブリングエラー信号ＷＥの信号レベルの絶対値は大きくなる。例えば「状態３」の方向にオフトラックを生じると、エンベロープ信号ＥＶ-1に基づいて検出したウォブリングエラー信号ＷＥ-1と、エンベロープ信号ＥＶ-2に基づいて検出したウォブリングエラー信号ＷＥ-2の信号レベル差が生じて、ウォブリングエラー信号ＷＥの信号レベルが大きくなる。
【００４５】
オフトラック量が更に大ききなると、ウォブリングエラー信号ＷＥにおける信号レベルの絶対値が減少や増加を繰り返し、例えば「状態２」や「状態６」の場合には、エンベロープ信号ＥＶ-1に基づいて検出したウォブリングエラー信号ＷＥ-1とエンベロープ信号ＥＶ-2に基づいて検出したウォブリングエラー信号ＷＥ-2は極性が逆で打ち消しあい、ウォブリングエラー信号ＷＥは「０」となる。すなわち、ウォブリングエラー信号ＷＥが「０」となるようにサーボ動作を行いＤＴヘッドの位置をロックさせると、「状態４」だけでなく、オフトラックを生じた位置であっても疑似ロックを生ずるおそれがある。このため、制御信号出力回路８８では、トラック識別情報ＴＩＤ-1，ＴＩＤ-2や差分信号ＥＤを用いて疑似ロックを生じない範囲までＤＴヘッド５０の位置を絞り込み、その後、ウォブリングエラー信号ＷＥが「０」となるようにサーボ動作を行うことで、ＤＴヘッド５０の位置が目的のトラックの再生に最適な位置、すなわち「状態４」となるように制御する。
【００４６】
図９は上述の制御を行うための制御信号出力回路８８の動作を示すフローチャートである。ステップＳＴ１では、トラック識別情報ＴＩＤ-1，ＴＩＤ-2が目的のトラックであることを示しているか否かを判別する。ここで、目的のトラックであることを示していないときにはステップＳＴ２に進み、目的のトラックであることを示しているときにはステップＳＴ４に進む。
【００４７】
ステップＳＴ２では、トラック識別情報ＴＩＤ-1，ＴＩＤ-2の値から、ＤＴヘッド５０の位置を判別する。ここで、トラック識別情報とオフトラック量の関係は上述の図８に示すものとなる。このため、トラック識別情報ＴＩＤ-1，ＴＩＤ-2の値から、ＤＴヘッドの位置がいずれの状態であるかを判別して、ステップＳＴ３に進む。
【００４８】
ステップＳＴ３では、ステップＳＴ２での判別結果に基づき、ＤＴヘッド５０の移動方向、あるいは移動方向とおおよその移動量を決定して制御信号ＤＨを生成して出力し、ステップＳＴ１に戻る。例えば、トラック識別情報ＴＩＤ-1が目的のトラック「ＴＲＡn」であることを示しており、トラック識別情報ＴＩＤ-2が目的のトラック「ＴＲＡn+1」であることを示していたときには、ステップＳＴ２でＤＴヘッド５０の位置が「状態２」に示す位置であると判別されて、ＤＴヘッド５０を「状態４」の位置に移動する制御信号ＤＨを生成して出力する。ここで、ＤＴヘッド５０を「状態４」の位置に移動するために制御信号ＤＨを生成する際には、トラック位置情報すなわちトラック識別情報ＴＩＤ-1，ＴＩＤ-2や再生信号に基づいた位相情報と、磁気テープ４０の走行速度に基づいてＤＴヘッド５０の移動量を算出し、この算出した移動量だけＤＴヘッド５０を移動するように制御信号ＤＨを生成する。このように制御信号ＤＨを生成すれば、特殊再生動作時であってもＤＴヘッド５０をほぼ「状態４」の位置に正しく移動させることができる。
【００４９】
ＤＴヘッド５０がほぼ「状態４」の位置となると、トラック識別情報ＴＩＤ-1，ＴＩＤ-2は目的のトラック「ＴＲＡn」を示すものとなり、ステップＳＴ１からステップＳＴ４に進む。
【００５０】
ステップＳＴ４では、差分信号ＥＤが所定レベル範囲内となっているか否かを判別する。この所定レベル範囲は、ウォブリングエラー信号ＷＥが「０」となる方向に制御したとき、ＤＴヘッド５０の移動方向を常に「状態４」の方向に規制することができるように設定する。例えば図７Ｂに示すように、差分信号ＥＤが信号レベルＬａ〜Ｌbの範囲内であるか否かを判別する。ここで、差分信号ＥＤが所定レベル範囲内になっていないときにはステップＳＴ５に進む。また、所定レベル範囲内となっているときにはステップＳＴ６に進む。
【００５１】
ステップＳＴ５では、差分信号ＥＤが所定レベル範囲内となるように制御信号ＤＨを生成して出力する。例えば、トラック識別情報ＴＩＤ-1，ＴＩＤ-2が目的のトラックであることを示していても、ＤＴヘッド５０の位置が「状態５」に近いことを差分信号ＥＤが示しているときには、ＤＴヘッド５０を「状態３」の位置方向に移動させるように制御信号ＤＨを生成して出力する。また、ＤＴヘッド５０の位置が「状態３」に近いことを差分信号ＥＤが示しているときには、ＤＴヘッド５０を「状態５」の位置方向に移動させるように制御信号ＤＨを生成して出力し、ステップＳＴ４に戻る。
【００５２】
差分信号ＥＤの絶対値が所定レベル範囲内となり、ステップＳＴ４からステップＳＴ６に進むと、ステップＳＴ６では、ウォブリングエラー信号ＷＥが「０」となっているか否かを判別する。ここで、ウォブリングエラー信号ＷＥの信号レベルが「０」であるときはステップＳＴ６に戻り、ウォブリングエラー信号ＷＥの信号レベルが「０」でないときにはステップＳＴ７に進む。ステップＳＴ７では、ウォブリングエラーが「０」となるように制御信号ＤＨを生成して出力しステップＳＴ６に戻る。
【００５３】
このように、トラック識別情報ＴＩＤ-1，ＴＩＤ-2に基づいて目的のトラックをトレースするようにＤＴヘッド５０の位置が制御されるので、特殊再生機能を維持しながらオフトラック余裕を広げて、速やかに複数の再生ヘッドで目的のトラックを再生できる。また、差分信号ＥＤに基づいてＤＴヘッド５０の位置の絞り込みを行い、さらに差分信号ＥＤによる位置の絞り込みが行われてからウォブリングエラー信号ＷＥが「０」となるようにＤＴヘッド５０の位置を制御することで、疑似ロック等の問題を生ずることなく、高精度かつ速やかに目的のトラックを再生できる。
【００５４】
また、差分信号ＥＤとオフトラック量の関係が図１０Ａに示すものとなるように調整されているとき、再生ヘッド５０-1あるいは再生ヘッド５０-2の出力特性が変化すると、差分信号ＥＤが「０」なるように制御しても、図１０Ｂに示すようにオフセットＰofを生じる。しかし、図１０Ｃに示すウォブリングエラー信号ＷＥが「０」となるように制御することで、ＤＴヘッド５０によって目的のトラックを正しく再生できる。
【００５５】
なお、トラック識別情報ＴＩＤ-1，ＴＩＤ-2が共に目的のトラックであることを示すオフトラック範囲において、疑似ロックを生じることなくウォブリングエラー信号ＷＥによってＤＴヘッド５０を最適な位置に制御できれば、差分信号を用いることなくＤＴヘッド５０を最適な位置に高精度で制御できる。また構成も簡単となる。
【００５６】
また、差分信号ＥＤは、エンベロープ信号ＥＶ-1とエンベロープ信号ＥＶ-2の差分を算出して速やかに得られるものである。一方、ウォブリングエラー信号ＷＥは、エンベロープ信号ＥＶ-1，ＥＶ-2に発振信号Ｓwbをそれぞれ乗算して生成されるものであり、発振信号Ｓwbはアクチュエータ９３の駆動に用いられることから周波数が高くできないため、ウォブリングエラー信号ＷＥの生成に時間を要してしまう。このため、上述したように、差分信号ＥＤに基づいてＤＴヘッド５０の位置の絞り込みを行うものとすれば、ＤＴヘッド５０を速やかに最適な位置とすることができる。
【００５７】
なお、上述の実施の形態では、一度に１つのトラックをトレースする場合を説明したが、一度に複数のトラックをトレースする場合、例えば図１１に示すように４つのトラックを同時にトレースする場合、各トラック毎に複数の再生ヘッドをトラック幅方向に位置をずらして設ける。すなわち、トラックＴＲＡに対応させて再生ヘッド５０a-1，５０a-2、トラックＴＲＢに対応させて再生ヘッド５０b-1，５０b-2、トラックＴＲＣに対応させて再生ヘッド５０c-1，５０c-2、トラックＴＲＤに対応させて再生ヘッド５０d-1，５０d-2を設ける。これらの再生ヘッドで構成されるＤＴヘッドを上述のように制御すれば、複数のトラックを同時にトレースする場合であっても、１つのトラックをトレースする場合と同様に、ＤＴヘッド５０を速やかに最適な位置とすることができる。
【００５８】
なお、複数のトラックを同時にトレースする場合は、１つのトラックの再生信号に基づいて上述のようにＤＴヘッド５０を制御するものとしても良く、また、トラック識別情報や差分信号およびウォブリングエラー信号をトラック毎に求めて、ＤＴヘッド５０が最も適切な位置となるように制御しても良い。このように、トラック識別情報や差分信号およびウォブリングエラー信号をトラック毎に求めて、トレース位置を制御するものとしたときには、いずれかのトラックの信号を正しく読み出すことができなくとも、ＤＴヘッド５０を適切な位置に制御できる。
【００５９】
また、差分信号によってトラックが傾きを持っているか曲がりを生じているか判別できる。すなわち、トラックが傾きを持っているとき、例えばトラック開始部分の差分信号が正極側の値、トラック中央部分での差分信号が「０」、トラック終了部分の差分信号が負極側の値となる。またトラックが曲がりを生じているとき、例えばトラック開始部分と終了部分で差分信号が正極側の値、トラック中央部分での差分信号が「０」や負極側の値となる。このため、上述のように差分信号を用いて再生ヘッドを所定のオフトラック範囲に制御するだけでなく、差動信号に基づきトラックの傾きや曲がりを判別して、この判別結果に応じてトレース位置を補正すれば、さらに目的のトラックを容易にトレースできる。
【００６０】
【発明の効果】
この発明によれば、１トラックに対して複数の再生ヘッドをトラック幅方向に位置をずらして設けてヘッドアセンブリが構成されて、再生ヘッドで得られた再生信号からトレースしたトラックのトラック識別情報が再生ヘッド毎に検出され、このトラック識別情報を用いて、複数の再生ヘッドが目的のトラックをトレースするようにヘッドアセンブリがトラック幅方向に駆動される。このため、特殊再生機能を維持しながらオフトラック余裕を広げて、速やかに複数の再生ヘッドで目的のトラックを再生できる。
【００６１】
また、ヘッドアセンブリがトラック幅方向に所定の振幅でウォブリングされて、再生ヘッドで得られた再生信号のエンベロープ信号を用いて検出したウォブリングエラーがなくなるようにヘッドアセンブリがトラック幅方向に更に駆動される。このため、高精度に目的のトラックをトレースできる。
【００６２】
さらに、エンベロープ信号の差分を求め、差分が所定範囲内となるようにヘッドアセンブリがトラック幅方向に駆動されて、その後ウォブリングエラーがなくなるようにヘッドアセンブリがトラック幅方向に駆動される。このため、目的のトラックを速やかに高精度でトレースできる。
【図面の簡単な説明】
【図１】ヘッドアセンブリの構成を示す図である。
【図２】再生ヘッドの出力レベルとオフトラック量の関係を示す図である。
【図３】トラック再生状態を説明するための図である。
【図４】ビデオテープレコーダの構成を示す図である。
【図５】トラックのパターンを説明するための図である。
【図６】駆動部の構成を示す図である。
【図７】駆動部の動作を説明するための図である。
【図８】再生ヘッドの位置とトラック識別情報の関係を示す図である。
【図９】制御信号出力回路の動作を説明するためのフローチャートである。
【図１０】オフセットを生じる場合の動作を説明するための図である。
【図１１】複数のトラックを同時にトレースする場合を示す図である。
【図１２】オフトラック量とウォブリングエラーの関係を示す図である。
【符号の説明】
１０・・・ヘッドアセンブリ、１０-1，１０-2，５０-1，５０-2，５０a-1，５０a-2，５０b-1，５０b-2，５０c-1，５０c-2，５０d-1，５０d-2・・・再生ヘッド、２０・・・ビデオ圧縮器、２５・・・パリティ付加器、３０・・・記録部、３５・・・記録ヘッド、４０・・・磁気テープ、５０・・・ＤＴヘッド、６０・・・再生信号処理部、６１-1，６１-2・・・復号回路、６２-1，６１-2・・・Ｃ1訂正器、６３・・・信号選択器、７０・・・Ｃ2訂正器、７５・・・ビデオ伸長器、８０・・・駆動部、８８・・・制御信号出力回路、８９・・・発振回路、９３・・・アクチュエータ、９４・・・センサ
【図１】
0003918762.tif 000002
【図２】
0003918762.tif 000003
【図３】
0003918762.tif 000004
【図４】
0003918762.tif 000005
【図５】
0003918762.tif 000006
【図６】
0003918762.tif 000007
【図７】
0003918762.tif 000008
【図８】
0003918762.tif 000009
【図９】
0003918762.tif 000010
【図１０】
0003918762.tif 000011
【図１１】
0003918762.tif 000012
【図１２】
0003918762.tif 000013